(57)【特許請求の範囲】
【請求項１】
在庫管理（ｓｔｏｃｋ  ｍａｎａｇｅｍｅｎｔ）のための電子装置の動作方法であって、
損傷関連情報または消費期限関連情報に基づいて処分（ｄｉｓｐｏｓａｌ）対象に分類される物品（ｉｔｅｍ）の属性情報を認識する段階と、前記物品は、第１貯蔵ユニットに貯蔵され、
複数の属性情報の中の前記物品の属性情報に基づいて、リキデーション（ｌｉｑｕｉｄａｔｉｏｎ）処理、廃棄処理、再陳列処理、再梱包処理、および自家消費（ｓｅｌｆ−ｃｏｎｓｕｍｐｔｉｏｎ）処理を含む複数の処分類型の中から前記物品の処分類型を認識する段階と、
前記処分類型によって前記物品が処理される時に随伴する前記物品の処理情報を獲得する段階と、
前記物品の処理情報に基づいて在庫に関する情報をアップデートする段階と、を含み、
前記物品の処分類型を認識する段階は、前記物品が鮮度管理物品である場合、前記物品をリキデーション処理対象と認識する段階を含み、
前記物品の処理情報は、前記第１貯蔵ユニットに貯蔵された前記物品の全体数量のうちリキデーション処理のための第２貯蔵ユニットに移される前記物品の数量に関する情報、および前記第２貯蔵ユニットの識別情報を含む、
動作方法。
【請求項２】
前記複数の物品の属性情報は、
前記物品の管理類型情報、前記物品の消費期限関連情報、前記物品の鮮度（ｆｒｅｓｈｎｅｓｓ）関連情報、および前記物品の損傷（ｄａｍａｇｅ）関連情報を含む、請求項１に記載の動作方法。
【請求項３】
前記物品の処分類型を認識する段階は、
前記物品が消費期限管理物品であり、前記物品の消費期限の日付が現在の日付に対して所定の期間以内である場合、前記物品を廃棄処理対象と認識する段階を含み、
前記物品の処理情報は、
前記第１貯蔵ユニットに貯蔵された前記物品の全体数量のうち廃棄処理のための前記第２貯蔵ユニットに移される前記物品の数量に関する情報、および前記第２貯蔵ユニットの識別情報を含む、請求項１に記載の動作方法。
【請求項４】
前記物品の処分類型を認識する段階は、
前記物品が製造日付管理物品であり、前記物品が既設定された種類の物品に該当する場合、前記物品を廃棄処理対象と認識する段階を含み、
前記物品の処理情報は、
前記第１貯蔵ユニットに貯蔵された前記物品の全体数量のうち廃棄処理のための前記第２貯蔵ユニットに移される前記物品の数量に関する情報、および前記第２貯蔵ユニットの識別情報を含む、請求項１に記載の動作方法。
【請求項５】
前記物品の処分類型を認識する段階は、
前記物品の損傷関連情報に基づいて、前記物品を廃棄処理対象と認識する段階を含み、
前記物品の処理情報は、
前記第１貯蔵ユニットに貯蔵された前記物品の全体数量のうち廃棄処理のための前記第２貯蔵ユニットに移される前記物品の数量に関する情報、前記第２貯蔵ユニットに移される前記物品のイメージ情報、および前記第２貯蔵ユニットの識別情報を含む、請求項１に記載の動作方法。
【請求項６】
前記物品の処分類型を認識する段階は、
前記物品の損傷関連情報に基づいて、前記物品を再梱包処理対象と認識する段階を含み、
前記物品の処理情報は、
前記第１貯蔵ユニットに貯蔵された前記物品の全体数量のうち再梱包処理のための前記第２貯蔵ユニットに移される前記物品の数量に関する情報、および前記第２貯蔵ユニットの識別情報を含む、請求項１に記載の動作方法。
【請求項７】
前記物品の処分類型を認識する段階は、
作業者の入力に基づいて前記物品の処分類型を認識する段階を含む、請求項１に記載の動作方法。
【請求項８】
前記物品の処分類型を認識する段階は、
作業者の入力に基づいて、前記物品を再陳列処理対象と認識する段階を含み、
前記物品の処理情報は、
前記第１貯蔵ユニットに貯蔵された前記物品の全体数量のうち再陳列処理のための前記第２貯蔵ユニットに移される前記物品の数量に関する情報、前記物品の数量に関する消費期限関連情報、および前記第２貯蔵ユニットの識別情報を含む、請求項７に記載の動作方法。
【請求項９】
前記物品の処理情報を獲得する段階は、
前記物品の処分類型に関する情報を端末（ｔｅｒｍｉｎａｌ）に伝送する段階と、
前記端末から前記物品の処理情報を受信する段階と、を含み、
前記端末は、
前記物品の処理類型に関する情報を作業者に提供し、前記作業者からＧＵＩ（Ｇｒａｐｈｉｃａｌ  Ｕｓｅｒ  Ｉｎｔｅｒｆａｃｅ）を介して前記物品の処理情報の入力を受ける、請求項１に記載の動作方法。
【請求項１０】
前記物品の処理情報を提供する段階をさらに含む、請求項１に記載の動作方法。
【請求項１１】
在庫管理（ｓｔｏｃｋ  ｍａｎａｇｅｍｅｎｔ）のための端末の動作方法であって、
損傷関連情報または消費期限関連情報に基づいて処分（ｄｉｓｐｏｓａｌ）対象に分類される物品（ｉｔｅｍ）の識別情報を獲得する段階と、前記物品は、第１貯蔵ユニットに貯蔵され、
リキデーション（ｌｉｑｕｉｄａｔｉｏｎ）処理、廃棄処理、再陳列処理、再梱包処理、および自家消費（ｓｅｌｆ−ｃｏｎｓｕｍｐｔｉｏｎ）処理を含む複数の処分類型の中から、前記物品の識別情報に対応する前記物品の処分類型に関する情報を認識する段階と、
前記処分類型によって前記物品が処理される時に随伴する前記物品の処理情報を獲得する段階と、
前記物品の処理情報を提供する段階と、を含み、
前記物品の処分類型を認識する段階は、前記物品が鮮度管理物品である場合、前記物品をリキデーション処理対象と認識する段階を含み、
前記物品の処理情報は、前記第１貯蔵ユニットに貯蔵された前記物品の全体数量のうちリキデーション処理のための第２貯蔵ユニットに移される前記物品の数量に関する情報、および前記第２貯蔵ユニットの識別情報を含む、
動作方法。
【請求項１２】
請求項１に記載の方法をコンピュータで実行させるためのプログラムを記録したコンピュータで読み取り可能な非一時的な記録媒体。
【請求項１３】
在庫管理（ｓｔｏｃｋ  ｍａｎａｇｅｍｅｎｔ）のための電子装置であって、
少なくとも1つの命令語（ｉｎｓｔｒｕｃｔｉｏｎ）を保存するメモリ（ｍｅｍｏｒｙ）と、
前記少なくとも1つの命令語を実行して、
損傷関連情報または消費期限関連情報に基づいて処分（ｄｉｓｐｏｓａｌ）対象に分類される物品（ｉｔｅｍ）の属性情報を認識し、前記物品は、第１貯蔵ユニットに貯蔵され、
複数の属性情報の中の前記物品の属性情報に基づいて、リキデーション（ｌｉｑｕｉｄａｔｉｏｎ）処理、廃棄処理、再陳列処理、再梱包処理、および自家消費（ｓｅｌｆ−ｃｏｎｓｕｍｐｔｉｏｎ）処理を含む複数の処分類型の中から前記物品の処分類型を認識し、
前記処分類型によって前記物品が処理される時に随伴する前記物品の処理情報を獲得し、
前記物品の処理情報に基づいて在庫に関する情報をアップデートするプロセッサー（ｐｒｏｃｅｓｓｏｒ）と、を含み、
前記物品の処分類型を認識する段階は、前記物品が鮮度管理物品である場合、前記物品をリキデーション処理対象と認識する段階を含み、
前記物品の処理情報は、前記第１貯蔵ユニットに貯蔵された前記物品の全体数量のうちリキデーション処理のための第２貯蔵ユニットに移される前記物品の数量に関する情報、および前記第２貯蔵ユニットの識別情報を含む、
電子装置。
【発明の詳細な説明】
【技術分野】
【０００１】
本開示は、在庫管理のための電子装置およびその動作方法に関する。
【背景技術】
【０００２】
注文時に顧客に運送されるための多数の物品が在庫として物流センターに貯蔵され得る。在庫の移動によって物品の位置が変更されたり、廃棄またはリキデーション（ｌｉｑｕｉｄａｔｉｏｎ）のような物品の処分によって在庫内物品の数量が変動し得るところ、在庫をより正確かつ効率的に管理する必要性が存在する。
【発明の概要】
【発明が解決しようとする課題】
【０００３】
開示された実施形態は、電子装置およびその動作方法を開示しようとする。本実施形態が達成しようとする技術的課題は、前述したような技術的課題に限定されず、以下の実施形態からさらに他の技術的課題が類推され得る。
【課題を解決するための手段】
【０００４】
第１実施形態によって、電子装置の動作方法は、処分（ｄｉｓｐｏｓａｌ）対象に分類される物品（ｉｔｅｍ）の属性情報を認識する段階と、物品の属性情報に基づいて物品の処分類型を認識する段階と、処分類型によって物品が処理される時に随伴する物品の処理情報を獲得する段階と、物品の処理情報に基づいて在庫に関する情報をアップデートする段階とを含むことができる。
【０００５】
第２実施形態によって、在庫管理のための端末の動作方法は、処分（ｄｉｓｐｏｓａｌ）対象に分類される物品（ｉｔｅｍ）の識別情報を獲得する段階と、物品の識別情報に対応する物品の処分類型に関する情報を認識する段階と、処分類型によって物品が処理される時に随伴する物品の処理情報を獲得する段階と、物品の処理情報を提供する段階とを含むことができる。
【０００６】
第３実施形態によって、在庫管理のための電子装置は、少なくとも1つの命令語を保存するメモリと、前記少なくとも1つの命令語を実行して、処分（ｄｉｓｐｏｓａｌ）対象に分類される物品（ｉｔｅｍ）の属性情報を認識し、物品の属性情報に基づいて物品の処分類型を認識し、処分類型によって物品が処理される時に随伴する物品の処理情報を獲得し、物品の処理情報に基づいて在庫に関する情報をアップデートするプロセッサーとを含むことができる。
【０００７】
第４実施形態によって、コンピュータで読み取り可能な記録媒体は、上述した方法をコンピュータで実行させるためのプログラムを記録した非一時的な記録媒体を含む。
【０００８】
その他の実施形態の具体的な事項は、詳細な説明および図面に含まれている。
【発明の効果】
【０００９】
本開示によれば、電子装置は、物品の属性情報に基づいて物品の処分類型を決定し、処分類型によって物品が処理される時に随伴する物品の処理情報を用いて、在庫に関する情報をアップデートするところ、より正確かつ効率的な物品処分のためのシステムを具現することができる。
【００１０】
発明の効果は、以上で言及した効果に制限されず、言及されていないさらに他の効果は、請求範囲の記載から当該技術分野における通常の技術者に明確に理解され得る。
【図面の簡単な説明】
【００１１】
【図１】一実施形態に係る在庫管理のためのシステムを示す。
【図２】電子装置の動作方法の一実施形態を示す。
【図３】電子装置が物品の処分類型を認識する一実施形態を示す。
【図４】電子装置が物品の処分類型を認識する他の実施形態を示す。
【図５】電子装置および端末が動作する一実施形態を示す。
【図６】端末が物品の識別情報を獲得する実施形態を示す。
【図７】端末が物品の処理情報を獲得する第１実施形態を示す。
【図８】端末が物品の処理情報を獲得する第２実施形態を示す。
【図９】端末が物品の処理情報を獲得する第３実施形態を示す。
【図１０】端末が物品の処理情報を獲得する第４実施形態を示す。
【図１１】端末が物品の処理情報を獲得する第５実施形態を示す。
【図１２】端末が物品の処理情報を獲得する第６実施形態を示す。
【図１３】電子装置が在庫に関する情報を表示する実施形態を示す。
【図１４】電子装置のブロック図を示す。
【図１５】端末が動作する方法の一実施形態を示す。
【発明を実施するための形態】
【００１２】
実施形態において使用される用語は、本開示での機能を考慮しつつ、できるだけ現在広く使用される一般的な用語を選択したが、これは、当分野に従事する技術者の意図または判例、新しい技術の出現等によって変わり得る。また、特定の場合は、出願人が任意に選定した用語もあり、この場合、該当する説明の部分で詳細にその意味を記載する。したがって、本開示において使用される用語は、単純な用語の名称でなく、その用語が有する意味と本開示の全般にわたる内容に基づいて定義されなければならない。
【００１３】
明細書全体において或る部分が何らかの構成要素を「含む」というとき、これは、特に反対になる記載がない限り、他の構成要素を除くことではなく、他の構成要素をさらに含むことを意味する。または、明細書に記載された「…部」、「…モジュール」等の用語は、少なくとも１つの機能や動作を処理する単位を意味し、これは、ハードウェアまたはソフトウェアで具現されたり、ハードウェアまたはソフトウェアの結合で具現され得る。
【００１４】
明細書全体において記載された「ａ、ｂ、およびｃのうち少なくとも１つ」の表現は、「ａ単独」、「ｂ単独」、「ｃ単独」、「ａおよびｂ」、「ａおよびｃ」、「ｂおよびｃ」、または「ａ、ｂ、ｃ全部」を包括することができる。
【００１５】
以下で言及される「端末」は、ネットワークを介してサーバーや他の端末に接続できるコンピュータや携帯用端末で具現され得る。ここで、コンピュータは、例えば、ウェブブラウザ（ＷＥＢ  Ｂｒｏｗｓｅｒ）が搭載されたノートパソコン、デスクトップ（ｄｅｓｋｔｏｐ）、ラップトップ（ｌａｐｔｏｐ）等を含み、携帯用端末は、例えば、携帯性と移動性が保障される無線通信装置であって、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）、ＣＤＭＡ（Ｃｏｄｅ  Ｄｉｖｉｓｉｏｎ  Ｍｕｌｔｉｐｌｅ  Ａｃｃｅｓｓ）、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）等の通信基盤端末、スマートフォン、タブレットＰＣ等のようなすべての種類のハンドヘルド（Ｈａｎｄｈｅｌｄ）基盤の無線通信装置を含むことができる。
【００１６】
以下では、添付の図面を参照して本開示の実施形態について本開示に属する技術分野における通常の知識を有する者が容易に実施できるように詳細に説明する。しかしながら、本開示は、様々な異なる形態で具現され得、ここで説明する実施形態に限定されない。
【００１７】
以下では、図面を参照して本開示の実施形態を詳細に説明する。
【００１８】
図１は、一実施形態に係る在庫管理のためのシステムを示す。
【００１９】
図１を参照すると、在庫管理（ｓｔｏｃｋ  ｍａｎａｇｅｍｅｎｔ）のためのシステム１は、電子装置１００および端末２００を含むことができる。図１に示されたシステム１は、本実施形態に関連する構成要素のみが示されている。したがって、図１に示された構成要素以外に他の汎用的な構成要素がさらに含まれ得ることを本実施形態に関連する技術分野における通常の知識を有する者なら理解することができる。
【００２０】
電子装置１００および端末２００は、ネットワーク内で互いに通信できる。ネットワークは、近距離通信網（Ｌｏｃａｌ  Ａｒｅａ  Ｎｅｔｗｏｒｋ；ＬＡＮ）、広域通信網（Ｗｉｄｅ  Ａｒｅａ  Ｎｅｔｗｏｒｋ；ＷＡＮ）、付加価値通信網（Ｖａｌｕｅ  Ａｄｄｅｄ  Ｎｅｔｗｏｒｋ；ＶＡＮ）、移動通信網（ｍｏｂｉｌｅ  ｒａｄｉｏ  ｃｏｍｍｕｎｉｃａｔｉｏｎ  ｎｅｔｗｏｒｋ）、衛星通信網およびこれらの相互組合せを含み、各ネットワーク構成の主体が互いに円滑に通信ができるようにする包括的な意味のデータ通信網であり、有線インターネット、無線インターネットおよびモバイル無線通信網を含むことができる。無線通信は、例えば、無線ＬＡＮ（Ｗｉ−Ｆｉ）、ブルートゥース(登録商標)、ブルートゥース低エネルギー（Ｂｌｕｅｔｏｏｔｈ  ｌｏｗ  ｅｎｅｒｇｙ）、ジグビー、ＷＦＤ（Ｗｉ−Ｆｉ  Ｄｉｒｅｃｔ）、ＵＷＢ（ｕｌｔｒａ  ｗｉｄｅｂａｎｄ）、赤外線通信（ＩｒＤＡ，ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がありえるが、これに限定されるものではない。
【００２１】
電子装置１００は、物流センターの在庫を管理することができる。具体的に、注文時に顧客に運送されるための物品（ｉｔｅｍ）が在庫として物流センターに貯蔵され得、電子装置１００は、このような在庫に関する情報をデータベースに保存することができる。例えば、電子装置１００は、各物品の位置、状態、または数量に関する情報をデータベースに保存することができる。また、電子装置１００は、在庫に関する情報をモニターリングすることができ、在庫で変動が発生する場合、在庫に関する情報をアップデートすることができる。例えば、電子装置１００は、在庫移動によって物品の位置が変更されたり、物品の廃棄処理によって物品の数量が変更される場合、在庫に関する情報をアップデートすることができる。一実施形態によって、電子装置１００は、倉庫管理システム（ｗａｒｅｈｏｕｓｅ  ｍａｎａｇｅｍｅｎｔ  ｓｙｓｔｅｍ）に含まれ得る。
【００２２】
電子装置１００は、在庫に関する作業命令を端末２００に伝送することができる。例えば、電子装置１００は、特定物品の位置移動に関する作業命令、特定物品の除去に関する作業命令、または特定物品の処分（ｄｉｓｐｏｓａｌ）に関する作業命令を端末２００に伝送することができる。また、電子装置１００は、端末２００から作業結果を受信することができ、作業結果を基礎として在庫に関する情報をアップデートすることができる。端末２００は、作業者が所持する端末でありうる。
【００２３】
電子装置１００は、物品の処分類型を認識することができ、処分類型によって物品を処理することを示す作業命令を端末２００に伝送することができる。例えば、電子装置１００は、物品の属性情報を基礎として物品をリキデーション（ｌｉｑｕｉｄａｔｉｏｎ）処理対象または廃棄処理対象と認識することができ、リキデーション（ｌｉｑｕｉｄａｔｉｏｎ）処理または廃棄処理によって物品を処理することを示す作業命令を端末２００に伝送することができる。また、電子装置１００は、処分類型による物品の処理情報を端末２００から受信することができ、処理情報を基礎として在庫に関する情報をアップデートすることができる。
【００２４】
電子装置１００は、在庫管理サービスのためのプラットホームを提供することができる。具体的に、電子装置１００は、在庫管理サービスのためのアプリケーションを端末２００に提供することができ、電子装置１００は、アプリケーションを実行して電子装置１００に接続された端末２００を介して在庫管理サービスを提供することができる。例えば、電子装置１００は、在庫管理サービスを提供するサーバーに含まれ得る。
【００２５】
図２は、電子装置の動作方法の一実施形態を示す。
【００２６】
段階Ｓ２１０において、電子装置１００は、処分対象に分類される物品の属性情報を認識することができる。
【００２７】
物品は、処分対象に分類され得、貯蔵ユニットに貯蔵され得る。貯蔵ユニットは、１つ以上の物理的な棚（ｓｈｅｌｖｉｎｇ）、本棚（ｂｏｏｋｓｈｅｌｆ）、箱（ｂｏｘ）、トート（ｔｏｔｅ）、冷蔵庫（ｒｅｆｒｉｇｅｒａｔｏｒ）、冷凍庫（ｆｒｅｅｚｅｒ）、および冷蔵室（ｃｏｌｄ  ｓｔｏｒｅ）を含むことができ、これに制限されない。一例によって、作業者は、消費期限が迫っていたり消費期限の過ぎた物品を確認することができ、確認された物品を処分対象に分類して任意のトート（ｔｏｔｅ）に移し入れることができる。他の例によって、作業者は、破損した物品を確認することができ、破損した物品を処分対象に分類して任意のトートに移し入れることができる。
【００２８】
電子装置１００は、物品の識別情報に基づいて物品の属性情報を認識することができる。一実施形態によって、電子装置１００は、外部端末から物品の識別情報を受信することができ、このような識別情報に基づいて物品の属性情報を認識することができる。例えば、電子装置１００は、物品のＳＫＵ（Ｓｔｏｃｋ  Ｋｅｅｐｉｎｇ  Ｕｎｉｔ）ＩＤに基づいて物品の属性情報を認識することができる。
【００２９】
物品の属性情報は、物品の管理類型情報、物品の消費期限関連情報、物品の鮮度（ｆｒｅｓｈｎｅｓｓ）関連情報、および物品の損傷（ｄａｍａｇｅ）関連情報のうち少なくとも1つを含むことができる。物品の管理類型情報は、物品が消費期限管理商品であるか否かに関する情報、または物品が製造日付管理商品であるか否かに関する情報を含むことができる。物品の消費期限関連情報は、物品の消費期限の日付または物品の製造日付に関する情報を含むことができる。物品の鮮度関連情報は、物品が鮮度管理物品であるか否かに関する情報を含むことができる。例えば、物品は、野菜または魚肉のような鮮度管理物品でありうる。物品の損傷関連情報は、物品が損傷したか否かに関する情報、または物品の損傷程度に関する情報を含むことができる。
【００３０】
本開示において、物品は、単一物品を意味したり、同一種類の物品セットを意味し得る。また、物品は、同じ在庫保管単位（ＳＫＵ）に該当する所定数量の物品を意味し得る。例えば、特定のＳＫＵ  ＩＤを有する物品は、所定数量の物品を示すことができる。
【００３１】
段階Ｓ２２０において、電子装置１００は段階Ｓ２１０で認識された物品の属性情報に基づいて物品の処分類型を認識することができる。物品の処分類型は、リキデーション処理、廃棄処理、自家消費処理、再梱包処理、および再陳列処理のうち少なくとも1つを含むことができる。
【００３２】
電子装置１００は、物品の属性情報に基づいて物品をリキデーション処理対象と認識することができる。リキデーション処理は、顧客に正常な販売が不可能な物品をリキデータ（ｌｉｑｕｉｄａｔｏｒ）に伝送処理することを意味する。例えば、リキデーション処理を通じて、物品がリキデータに定価より低い価格で販売処理され得る。電子装置１００は、物品の鮮度関連情報に基づいて、物品をリキデーション処理対象と認識することができる。例えば、電子装置１００は、物品が鮮度管理物品である場合、物品をリキデーション処理対象と認識することができる。電子装置１００は、物品の損傷関連情報に基づいて、物品をリキデーション処理対象と認識することができる。電子装置１００は、物品の破損程度が低い場合、物品をリキデーション処理対象と認識することができる。
【００３３】
電子装置１００は、物品の属性情報に基づいて物品を廃棄処理対象と認識することができる。電子装置１００は、物品の管理類型情報および物品の消費期限関連情報に基づいて物品を廃棄処理対象と認識することができる。一例によって、電子装置１００は、物品が消費期限管理物品であり、物品の消費期限の日付が現在の日付に対して所定の期間以内である場合、物品を廃棄処理対象と認識することができる。電子装置１００は、物品が既設定された種類の物品に該当する場合、物品を廃棄処理対象と認識することができる。例えば、電子装置１００は、物品がおむつ、粉ミルク、およびウェットティッシュのうち少なくとも1つに該当する場合、物品を廃棄処理対象と認識することができる。既設定された種類の物品に関する情報は、アップデートされ得る。電子装置１００は、物品の損傷関連情報に基づいて物品を廃棄処理対象と認識することができる。例えば、電子装置１００は、物品が完全に破損した場合、物品を廃棄処理対象と認識することができる。
【００３４】
電子装置１００は、物品の属性情報に基づいて物品を再梱包処理対象と認識することができる。電子装置１００は、物品の損傷関連情報に基づいて物品を再梱包処理対象と認識することができる。例えば、電子装置１００は、物品の損傷程度が低い場合、物品を再梱包処理対象と認識することができる。
【００３５】
電子装置１００は、物品の属性情報に基づいて物品を自家消費処理対象と認識することができる。自家消費処理は、物品を販売せず、物流センター内部で消費することを意味する。電子装置１００は、物品が既設定された種類の物品に該当する場合、物品を自家消費処理対象と認識することができる。
【００３６】
電子装置１００は、物品の属性情報に基づいて物品を再陳列処理対象と認識することができる。再陳列処理は、処分対象に間違って分類された物品が出庫のために保管場所に再び配置されることを意味する。例えば、再陳列処理によって、物品は、廃棄ゾーン（ｚｏｎｅ）からピッキングゾーンに移され得る。電子装置１００は、物品の消費期限関連情報に基づいて物品を再陳列処理対象と認識することができる。
【００３７】
電子装置１００は、ユーザ入力を基礎として物品の処分類型を認識することができる。換言すれば、ユーザにより物品の処分類型が決定され得る。一例によって、電子装置１００は、作業者の入力を基礎として物品をリキデーション処理対象と認識することができる。他の例によって、電子装置１００は、作業者の入力を基礎として物品を再陳列処理対象と認識することができる。さらに他の例によって、電子装置１００は、作業者の入力を基礎として物品を再梱包処理対象と認識することができる。さらに他の例によって、電子装置１００は、作業者の入力を基礎として物品を自家消費処理対象と認識することができる。
【００３８】
段階Ｓ２３０において、電子装置１００はＳ２２０で認識された処分類型によって物品が処理される時に随伴する物品の処理情報を獲得することができる。物品の処理情報は、第１貯蔵ユニットに既貯蔵された物品の全体数量のうち処分類型による処理のための第２貯蔵ユニットに移される物品の数量に関する情報、第２貯蔵ユニットに移される物品の数量に対する消費期限関連情報、第２貯蔵ユニットに移される物品の数量に関するイメージ情報、および第２貯蔵ユニットの識別情報のうち少なくとも1つを含むことができる。第２貯蔵ユニットの識別情報は、第２貯蔵ユニットに付着したバーコード情報を含むことができる。
【００３９】
一実施形態によって、電子装置１００は、物品の処分類型に関する情報を端末に伝送することができ、端末から物品の処理情報を獲得することができる。具体的に、作業者は、物品の処分類型によって物品を処理することができ、物品の処理結果である物品の処理情報を端末に入力することができる。また、端末に入力された物品の処理情報は、電子装置１００に伝送され得る。
【００４０】
電子装置１００は、物品の処分類型を廃棄処理と認識した場合、第１貯蔵ユニットに貯蔵された物品の全体数量のうち廃棄処理のための第２貯蔵ユニットに移される物品の数量に関する情報、および第２貯蔵ユニットの識別情報を獲得することができる。また、電子装置１００は、第１貯蔵ユニットから第２貯蔵ユニットに移される物品の数量に関するイメージ情報をさらに獲得することができる。例えば、第１貯蔵ユニットから第２貯蔵ユニットに移される物品が３個の場合、電子装置１００は、３個の物品それぞれに対するイメージ情報を獲得することができる。
【００４１】
電子装置１００は、物品の処分類型を再陳列処理と認識した場合、第１貯蔵ユニットに貯蔵された物品の全体数量のうち再陳列処理のための第２貯蔵ユニットに移される物品の数量に関する情報、および第２貯蔵ユニットの識別情報を獲得することができる。また、電子装置１００は、第１貯蔵ユニットから第２貯蔵ユニットに移される物品の数量に対する消費期限関連情報をさらに獲得することができる。物品の数量が１個の場合、物品の数量に対する消費期限関連情報は、１個の物品の消費期限の日付または製造日付を含むことができる。物品の数量が複数であり、物品が消費期限管理物品である場合、物品の数量に対する消費期限関連情報は、複数の物品の消費期限の日付のうち最も早い消費期限の日付を含むことができる。同様に、物品の数量が複数であり、物品が製造日付管理物品である場合、物品の数量に対する消費期限関連情報は、複数の物品の製造日付のうち最も早い製造日付を含むことができる。
【００４２】
電子装置１００は、物品の処分類型を再梱包処理と認識した場合、第１貯蔵ユニットに貯蔵された物品の全体数量のうち再梱包処理のための第２貯蔵ユニットに移される物品の数量に関する情報、および第２貯蔵ユニットの識別情報を獲得することができる。
【００４３】
電子装置１００は、物品の処分類型を自家消費処理と認識した場合、第１貯蔵ユニットに貯蔵された物品の全体数量のうち自家消費処理のための第２貯蔵ユニットに移される物品の数量に関する情報、および第２貯蔵ユニットの識別情報を獲得することができる。
【００４４】
電子装置１００は、物品の処分類型をリキデーション処理と認識した場合、第１貯蔵ユニットに貯蔵された物品の全体数量のうちリキデーション処理のための第２貯蔵ユニットに移される物品の数量に関する情報、および第２貯蔵ユニットの識別情報を獲得することができる。
【００４５】
段階Ｓ２４０において、電子装置１００は物品の処理情報に基づいて在庫に関する情報をアップデートすることができる。換言すれば、電子装置１００は、物品の処理情報に基づいて、物品が処分類型によって処理された結果である物品の処理情報に基づいて、在庫に関する情報をアップデートすることができる。具体的に、電子装置１００は、物品の処理情報に基づいて、在庫内で物品の処分現況をアップデートすることができる。例えば、電子装置１００は、第１数量の物品が廃棄処理対象である場合、物品の処理情報に基づいて、第１数量の物品のうち廃棄処理のための貯蔵ユニットに移された第２数量の物品に関する情報をアップデートすることができる。
【００４６】
電子装置１００は、物品の処理情報に基づいて、処分対象である物品の電算数量に関する情報をアップデートすることができる。例えば、電子装置１００は、物品の処理情報に基づいて、処分対象である物品の電算数量が実物数量と一致するか否かを判断することができ、一致しない場合、実物数量を基準として電算数量を調整することができる。
【００４７】
電子装置１００は、物品の処理情報に基づいて、再陳列処理される物品に対する消費期限関連情報をアップデートすることができる。例えば、電子装置１００は、再陳列処理のために貯蔵ユニットに移される物品の第１数量に対する消費期限関連情報に基づいて、再陳列処理される第１数量の物品のＬＰＮ（Ｌｉｃｅｎｓｅ  Ｐｌａｔｅ  Ｎｕｍｂｅｒ）情報をアップデートすることができる。
【００４８】
電子装置１００は、物品の処理情報を提供することができる。例えば、電子装置１００は、ディスプレイを介して物品の処理情報を表示することができる。
【００４９】
したがって、電子装置１００は、物品の属性情報に基づいて物品の処分類型を決定し、処分類型によって物品が処理される時に随伴する物品の処理情報を用いて在庫に関する情報をアップデートするところ、より正確かつ効率的な物品処分のためのシステムを具現することができる。
【００５０】
また、電子装置１００は、物品が処分処理されるたびに物品の処理情報を獲得できるところ、物品の処分内訳をより容易に把握することができる。例えば、処分処理によって物品が在庫から差し引かれる場合、電子装置１００は、物品の処理情報を用いて、物品の処分類型および処分処理された物品の数量等に関する情報をより容易に追跡することができる。
【００５１】
図３は、電子装置が物品の処分類型を認識する一実施形態を示す。
【００５２】
段階Ｓ３１０において、電子装置１００は、物品の属性情報を認識することができる。電子装置１００は、物品の識別情報に基づいて物品の属性情報を認識することができる。
【００５３】
段階Ｓ３２０において、電子装置１００は、物品の属性情報に基づいて物品が鮮度管理物品であるか否かを判断することができる。換言すれば、電子装置１００は、物品の鮮度関連情報に基づいて物品が鮮度管理物品であるか否かを判断することができる。例えば、特定の物流センターに入庫される物品は、鮮度管理物品と指定され得るところ、電子装置１００は、物品が特定物流センターで扱われる物品と確認される場合、物品を鮮度管理物品と認識することができる。
【００５４】
Ｓ３２０の判断結果、物品が鮮度管理物品である場合、段階Ｓ３７０において、電子装置１００は、物品をリキデーション処理対象と認識することができる。
【００５５】
Ｓ３２０の判断結果、物品が鮮度管理物品でない場合、段階Ｓ３３０において、電子装置１００は、物品の属性情報に基づいて物品が消費期限管理物品であるか否かを判断することができる。換言すれば、電子装置１００は、物品の管理類型情報に基づいて、物品が消費期限管理物品であるか、製造日付管理物品であるか否かを判断することができる。物品が消費期限管理物品である場合、物品は、消費期限の日付および品質寿命（ｓｈｅｌｆ  ｌｉｆｅ）に基づいて管理され得る。物品が製造日付管理物品である場合、物品は、製造日付および品質寿命に基づいて管理され得る。
【００５６】
Ｓ３３０の判断結果、物品が消費期限管理物品である場合、段階Ｓ３４０において、電子装置１００は、物品の消費期限の日付が現在の日付に対して所定の期間以内であるか否かを判断することができる。例えば、電子装置１００は、物品の消費期限の日付が現在の日付から１５日以内であるか否かを判断することができる。
【００５７】
Ｓ３４０の判断結果、物品の消費期限の日付が現在の日付に対して所定の期間以内である場合、段階Ｓ３８０において、電子装置１００は、物品を廃棄処理対象と認識することができる。
【００５８】
Ｓ３３０の判断結果、物品が消費期限管理物品でないか、Ｓ３４０の判断結果、物品の消費期限の日付が現在の日付に対して所定の期間以内でない場合、段階Ｓ３５０において、電子装置１００は、物品の属性情報に基づいて物品が既設定された種類の物品に該当するか否かを判断することができる。例えば、電子装置１００は、物品がＰＬ（Ｐｒｉｖａｔｅ  Ｌａｂｅｌ）商品に該当するか否かを判断することができる。
【００５９】
Ｓ３５０の判断結果、物品が既設定された種類の物品に該当する場合、段階Ｓ３８０において、電子装置１００は、物品を廃棄処理対象と認識することができる。
【００６０】
Ｓ３５０の判断結果、物品が既設定された種類の物品に該当しない場合、段階Ｓ３６０において、電子装置１００は、物品の属性情報に基づいて物品が破損した物品であるか否かを判断することができる。一実施形態によって、電子装置１００は、物品の属性情報に基づいて物品が破損した物品であるか否かを判断することができる。他の実施形態によって、電子装置１００は、作業者の入力に基づいて物品が破損した物品であるか否かを判断することができる。例えば、電子装置１００は、作業者が目視で確認した物品の破損有無に関する情報を獲得することができる。
【００６１】
Ｓ３６０の判断結果、物品が破損した物品である場合、段階Ｓ３８０において、電子装置１００は、物品を廃棄処理対象と認識することができる。Ｓ３６０の判断結果、物品が破損した物品でない場合、段階Ｓ３７０において、電子装置１００は、物品をリキデーション処理対象と認識することができる。
【００６２】
図４は、電子装置が物品の処分類型を認識する他の実施形態を示す。
【００６３】
段階Ｓ４１０において、電子装置１００は、物品の属性情報を認識することができる。電子装置１００は、物品の識別情報に基づいて物品の属性情報を認識することができる。
【００６４】
段階Ｓ４２０において、電子装置１００は、物品が梱包箱に対してのみ破損したか否かを判断することができる。一実施形態によって、電子装置１００は、物品の属性情報に基づいて物品の梱包箱のみが破損したか否かを判断することができる。他の実施形態によって、電子装置１００は、作業者の入力に基づいて物品の梱包箱のみが破損したか否かを判断することができる。例えば、作業者は、目視で確認された物品の破損程度に関する情報を端末に入力することができ、電子装置１００は、端末から獲得された情報に基づいて、物品の梱包箱のみが破損したか否かを判断することができる。
【００６５】
Ｓ４２０の判断結果、物品の梱包箱のみが破損した場合、段階Ｓ４４０において、電子装置１００は、物品を再梱包処理対象と認識することができる。
【００６６】
Ｓ４２０の判断結果、物品の梱包箱のみが破損していない場合、段階Ｓ４３０において、電子装置１００は、物品が破損して廃棄される対象であるか否かを判断することができる。一実施形態によって、電子装置１００は、物品の属性情報に基づいて物品が破損して廃棄される対象であるか否かを判断することができる。他の実施形態によって、電子装置１００は、作業者の入力に基づいて物品が破損して廃棄される対象であるか否かを判断することができる。例えば、作業者は、目視で確認された物品の破損程度に関する情報を端末に入力することができ、電子装置１００は、端末から獲得された情報に基づいて、物品が破損して廃棄される対象であるか否かを判断することができる。
【００６７】
Ｓ４３０の判断結果、物品が破損して廃棄される対象である場合、段階Ｓ４５０において、電子装置１００は、物品を廃棄処理対象と認識することができる。
【００６８】
Ｓ４３０の判断結果、物品が破損して廃棄される対象でない場合、段階Ｓ４６０において、電子装置１００は、物品をリキデーション処理対象と認識することができる。
【００６９】
一実施形態によって、電子装置１００は、物品の属性情報に基づいて物品を自家消費処理対象と認識することができる。他の実施形態によって、電子装置１００は、作業者の入力に基づいて物品を自家消費処理対象と認識することができる。
【００７０】
図５は、電子装置および端末が動作する一実施形態を示す。
【００７１】
段階Ｓ５０２において、端末５５０は、処分対象に分類される物品の識別情報を獲得することができる。具体的に、作業者は、処分対象に分類される貯蔵ユニット内物品を確認することができ、端末５５０を介して確認された物品のバーコードをスキャンすることができる。その結果、端末５５０は、物品の識別情報を獲得することができる。
【００７２】
図６は、端末が物品の識別情報を獲得する実施形態を示す。
【００７３】
端末６００は、作業者にトートバーコード（ｔｏｔｅ  ｂａｒｃｏｄｅ）をスキャンすることを要請するイメージ６１０をディスプレイを介して表示することができる。端末６００は、トートバーコードスキャンを通じてトートの識別情報を獲得することができ、トートの識別情報を通じてトートが処分対象に分類される物品を貯蔵するトートであることを認識することができる。例えば、端末６００は、トートの識別情報を電子装置に伝送することができ、電子装置は、トートの識別情報を認識してトートが処分対象に分類される物品を貯蔵するトートであることを認識することができる。次いで、端末６００は、電子装置から認識されたトートに関する情報を受信することができる。
【００７４】
作業者が端末６００のスキャナを用いてトートバーコードをスキャンする場合、端末６００は、トートの識別情報６２２を含み、作業者にトートに貯蔵された物品のバーコードをスキャンすることを要請するイメージ６２０をディスプレイを介して表示することができる。
【００７５】
作業者が端末６００を介して物品のバーコードをスキャンすることによって、端末６００は、物品の識別情報を獲得することができる。
【００７６】
端末６００は、物品のバーコードスキャンに関連した問題の発生を報告できるメニューを作業者に提供することができる。作業者は、メニューを選択して、物品のバーコードが損傷したり、トートに入れられた物品でないという問題点を端末６００に入力することができる。また、端末６００に入力された問題点に関する情報は、電子装置に伝送され得る。
【００７７】
さらに図５を参照すると、段階Ｓ５０４において、端末５５０は段階Ｓ５０２で獲得された物品の識別情報を電子装置５００に伝送することができる。
【００７８】
段階Ｓ５０６において、電子装置５００は、物品の識別情報に基づいて物品の属性情報を認識することができる。段階Ｓ５０６は、図２の段階Ｓ２１０の内容を含むところ、重複する内容については説明を省略する。
【００７９】
段階Ｓ５０８において、電子装置５００は、物品の属性情報に基づいて物品の処分類型を認識することができる。段階Ｓ５０８は、図２の段階Ｓ２２０の内容を含むところ、重複する内容については説明を省略する。
【００８０】
段階Ｓ５１０において、電子装置５００は、段階Ｓ５０８で認識された物品の処分類型に関する情報を伝送することができる。
【００８１】
段階Ｓ５１２において、端末５５０は、物品の処分類型によって物品が処理される時に随伴する物品の処理情報を獲得することができる。
【００８２】
端末５５０は、物品の処分類型に関する情報および物品の処理類型による処理のためのガイド（ｇｕｉｄｅ）を作業者に提供することができ、作業者から物品の処理情報の入力を受けることができる。例えば、端末５５０は、ＧＵＩ（Ｇｒａｐｈｉｃａｌ  Ｕｓｅｒ  Ｉｎｔｅｒｆａｃｅ）を介して物品の処分類型に関する情報および物品の処理類型による処理のためのガイドを作業者に提供することができ、作業者から物品の処理情報の入力を受けることができる。例えば、端末５５０は、タッチスクリーンを介して作業者から物品の処理情報の入力を受けることができる。
【００８３】
図７は、端末が物品の処理情報を獲得する第１実施形態を示す。
【００８４】
端末７００は、物品の識別情報を獲得することに対応して物品の処理類型を認識することができる。例えば、端末７００は、物品の識別情報を獲得することに対応して物品の処理類型が廃棄処理であることを認識することができ、物品が廃棄処理されるように作業者に案内することができる。
【００８５】
端末７００は、廃棄処理される物品を貯蔵するための貯蔵ユニットの識別情報を作業者に要請することができる。具体的に、端末７００は、第１貯蔵ユニットに既貯蔵された物品を廃棄処理するために移し入れる第２貯蔵ユニットのバーコードをスキャンすることを要請することができる。例えば、端末７００は、廃棄処理のための貯蔵ユニットのバーコードをスキャンすることを要請するイメージ７１０を表示することができる。作業者は、端末７００のスキャナを用いて廃棄処理のための貯蔵ユニットのバーコードをスキャンすることができ、当該スキャン結果、端末７００は、貯蔵ユニットの識別情報を獲得することができる。
【００８６】
端末７００は、トートバーコードのスキャンに関連した問題の発生を報告できるメニューを作業者に提供することができる。作業者は、メニューを選択して、トートバーコードが損傷したり、有効でないバーコードであるという問題点を端末７００に入力することができる。また、端末７００に入力された問題点に関する情報は、電子装置に伝送され得る。
【００８７】
端末７００は、廃棄処理される物品の数量に関する情報を作業者に要請することができる。端末７００は、作業者の入力に基づいて、廃棄処理のための貯蔵ユニットの識別情報７２２および廃棄処理される物品の数量に関する情報７２４を表示することができる。
【００８８】
端末７００は、物品に対する廃棄処理情報を含むイメージ７３０を表示することができる。具体的に、端末７００は、メニュー７２６を介して廃棄処理の指示を入力された場合、廃棄処理のための物品の貯蔵位置変更事項および廃棄処理される物品の数量に関する情報を含むイメージ７３０を表示することができる。
【００８９】
端末７００は、電算上で未処理在庫に関する情報を含むイメージ７４０を表示することができる。例えば、電算上で処分対象に分類される第１数量の物品のうち、第１数量より少ない第２数量の物品に対する廃棄処理情報が端末７００に入力される場合、端末７００は、第１数量および第２数量の差異に該当する数量の物品については、未処理在庫として問題ゾーン（ｐｒｏｂｌｅｍ  ｚｏｎｅ）への移動可否を作業者に問い合わせすることができる。すなわち、端末７００は、未処理在庫を問題ゾーンの在庫として割り当てるか否かを作業者に問い合わせすることができる。
【００９０】
図８は、端末が物品の処理情報を獲得する第２実施形態を示す。
【００９１】
端末８００は、物品の処分類型を再陳列処理と認識することができる。例えば、物品が消費期限間近によって廃棄処理対象と認識されても、作業者の確認結果、消費期限が迫っていない場合、作業者の入力に基づいて端末８００は、物品の処分類型を再陳列処理と認識することができる。例えば、作業者は、端末８００により表示される再陳列メニューを選択入力することができる。
【００９２】
端末８００は、再陳列処理対象である物品に関する消費期限関連情報を要請するイメージ８１０を表示することができる。
【００９３】
端末８００は、作業者が再陳列処理対象である物品の消費期限関連情報を入力できるＧＵＩを具現することができる。例えば、端末８００は、イメージ８２０のように作業者により消費期限関連情報を入力できるタッチスクリーンを具現することができる。作業者は、再陳列処理対象である物品の数量が２個以上の場合、物品の消費期限の日付のうち最も早い日付を端末８００に入力することができる。例えば、作業者は、イメージ８２０内の日付選択メニュー８２２を介して物品の消費期限の日付のうち最も早い日付を端末８００に入力することができる。
【００９４】
端末８００は、日付選択メニュー８２２を介して入力される消費期限の日付が誤った日付である場合、消費期限の日付に対する再入力を要請することができる。例えば、作業者により入力された消費期限の日付が既に設定された消費期限の日付と同じであるか、早い場合、端末８００は、消費期限の日付に対する再入力を要請することができる。
【００９５】
端末８００は、作業者の入力に基づいて、再陳列処理対象である物品の消費期限関連情報８３２を含むイメージ８３０を表示することができ、再陳列処理対象である物品を貯蔵するトートのバーコードをスキャンすることを要請するイメージ８３０を表示することができる。
【００９６】
端末８００は、作業者から再陳列処理のためのトートに関する識別情報８４２および再陳列処理される物品の数量情報８４４の入力を受けることができ、識別情報８４２および数量情報８４４を含むイメージ８４０を表示することができる。
【００９７】
図９は、端末が物品の処理情報を獲得する第３実施形態を示す。
【００９８】
端末９００は、作業者により消費期限関連情報を入力できるＧＵＩを具現することができる。
【００９９】
端末９００は、再陳列処理対象である物品に関する消費期限関連情報を入力することを要請するイメージ９１０を表示することができ、ここで、消費期限関連情報は、物品の製造日付から計算することができる。例えば、作業者は、物品の数量が２個以上の場合、物品の製造日付のうち最も早い製造日付を端末９００に入力することができ、最も早い製造日付を始点として有する所定の期間に関する情報を端末９００に入力することができる。例えば、作業者は、イメージ９２０の製造日付選択メニュー９２２および期間選択メニュー９２４を介して最も早い製造日付、および最も早い製造日付を有する物品の消費推奨期間を端末９００に入力することができる。
【０１００】
端末９００は、作業者の入力に基づいて、再陳列処理対象である物品の消費期限関連情報９３２を含むイメージ９３０を表示することができ、再陳列処理対象である物品を貯蔵するトートのバーコードをスキャンすることを要請するイメージ９３０を表示することができる。物品の消費期限関連情報９３２は、作業者から端末９００に入力された最も早い製造日付および所定期間に基づいて計算することができる。
【０１０１】
端末９００は、作業者から再陳列処理のためのトートに関する識別情報９４２および再陳列処理される物品の数量情報９４４の入力を受けることができ、識別情報９４２および数量情報９４４を含むイメージ９４０を表示することができる。
【０１０２】
図１０は、端末が物品の処理情報を獲得する第４実施形態を示す。
【０１０３】
端末１０００は、作業者により消費期限関連情報を入力できるＧＵＩを具現することができる。具体的に、端末１０００は、再陳列処理対象である物品の製造日付に関する情報を入力することを要請するメッセージを含むイメージ１０１０を表示することができる。作業者は、物品の数量が２個以上の場合、物品の製造日付のうち最も早い製造日付を端末１０００に入力することができる。例えば、作業者は、イメージ１０２０の製造日付選択メニュー１０２２を介して最も早い製造日付である２０１８年１２月３０日に関する情報を端末１０００に入力することができる。
【０１０４】
端末１０００は、作業者の入力に基づいて、再陳列処理対象である物品の消費期限関連情報１０３２を含むイメージ１０３０を表示することができ、再陳列処理対象である物品を貯蔵するトートのバーコードをスキャンすることを要請するイメージ１０３０を表示することができる。また、端末１０００は、作業者から再陳列処理のためのトートに関する識別情報および再陳列処理される物品の数量情報の入力を受けることができ、識別情報および数量情報を含むイメージを表示することができる。
【０１０５】
図１１は、端末が物品の処理情報を獲得する第５実施形態を示す。
【０１０６】
端末１１００は、作業者の入力に基づいて物品の処理類型を認識することができる。例えば、端末１１００は、物品の破損程度を選択できるメニュー１１１０を表示することができる。作業者がメニュー１１１０のうち第１メニュー１１１３を選択する場合、端末１１００は、物品の処理類型をリキデーション処理と認識することができ、作業者がメニュー１１１０のうち第２メニュー１１１４を選択する場合、端末１１００は、物品の処理類型を廃棄処理と認識することができる。
【０１０７】
端末１１００は、物品の処理類型をリキデーション処理と認識する場合、リキデーション処理される物品を貯蔵するための貯蔵ユニットの識別情報を作業者に要請することができる。例えば、端末１１００は、リキデーション処理のための貯蔵ユニットのバーコードをスキャンすることを要請するイメージ１１２０を表示することができる。
【０１０８】
端末１１００は、リキデーション処理される物品の数量に関する情報を作業者に要請することができる。端末１１００は、作業者の入力に基づいて、リキデーション処理のための貯蔵ユニットの識別情報１１３２およびリキデーション処理される物品の数量に関する情報１１３４を含むイメージ１１３０を表示することができる。
【０１０９】
端末１１００は、物品に対するリキデーション処理情報を含むイメージ１１４０を表示することができる。具体的に、端末１１００は、メニュー１１３６を介してリキデーション処理の指示を入力された場合、リキデーション処理のための物品の貯蔵位置変更事項およびリキデーション処理される物品の数量に関する情報を含むイメージ１１４０を表示することができる。
【０１１０】
図１２は、端末が物品の処理情報を獲得する第６実施形態を示す。
【０１１１】
端末１２００は、物品の破損関連情報に基づいて物品の処理類型を廃棄処理と認識することができ、物品が廃棄処理されるように作業者に案内することができる。
【０１１２】
端末１２００は、廃棄処理のための貯蔵ユニットの位置に関する情報および廃棄処理される物品の数量に関する情報を要請するイメージ１２１０を表示することができる。
【０１１３】
端末１２００は、廃棄処理される物品のイメージ情報を要請するイメージ１２２０を表示することができる。具体的に、作業者が破損を理由に物品を廃棄処理する場合、作業者は、物品に関するイメージ情報を端末１２００に入力することができる。例えば、作業者は、端末１２００のカメラを介して廃棄処理される物品に関するイメージ情報を端末１２００に入力することができる。廃棄処理される物品が複数の場合、作業者は、物品それぞれに関するイメージ情報を端末１２００に入力することができる。端末１２００は、廃棄処理される物品のイメージ情報を獲得することができるところ、作業者が不正な目的で廃棄処理される物品を取るのを防止することができる。
【０１１４】
端末１２００は、作業者の入力に基づいて廃棄処理される物品のイメージ情報１２３２を含むイメージ１２３０を表示することができる。
【０１１５】
端末１２００は、物品に対する廃棄処理情報を含むイメージ１２４０を表示することができる。具体的に、端末１２００は、メニュー１２３４を介して廃棄処理の指示を入力された場合、廃棄処理のための物品の貯蔵位置変更事項および廃棄処理される物品の数量に関する情報を含むイメージ１２４０を表示することができる。
【０１１６】
さらに図５を参照すると、段階Ｓ５１４において、端末５５０は段階Ｓ５１２で獲得された物品の処理情報を電子装置５００に伝送することができる。
【０１１７】
段階Ｓ５１６において、電子装置５００は、端末５５０から伝送された物品の処理情報に基づいて在庫に関する情報をアップデートすることができる。段階Ｓ５１６は、図２の段階Ｓ２４０の内容を含むところ、重複する内容については説明を省略する。
【０１１８】
図５では、一実施形態によって段階Ｓ５０２〜Ｓ５１６を行う主体が電子装置５００と端末５５０に区分されて示されたが、これに制限されない。例えば、段階Ｓ５０２〜Ｓ５１６を行う主体は、電子装置５００になり得るか、段階Ｓ５０２〜Ｓ５１６を行う主体は、端末５５０になり得る。
【０１１９】
図１３は、電子装置が在庫に関する情報を表示する実施形態を示す。
【０１２０】
電子装置１００は、ディスプレイを介して在庫に関する情報１３００を表示することができる。在庫に関する情報１３００は、物品の処理情報に基づいてアップデートされ得る。
【０１２１】
在庫に関する情報１３００は、処分対象に分類された物品を貯蔵するトートそれぞれの識別情報１３０２を含むことができる。例えば、トートそれぞれは、消費期限間近によって処分対象に分類された物品を含むトート、および破損によって処分対象に分類された物品を含むトートなどに区分され得る。
【０１２２】
在庫に関する情報１３００は、トートそれぞれに含まれた物品の数量情報１３０４を含むことができる。例えば、トートバーコードが「１４−ＲＣＲＴ０−９−４」であるトートは、１個の数量の物品を含むことができる。
【０１２３】
在庫に関する情報１３００は、処分類型によって物品を処理する作業者に関する識別情報１３０６を含むことができる。例えば、作業者に関する識別情報は、作業者が所持する端末の識別情報を含むことができる。
【０１２４】
在庫に関する情報１３００は、各トート内物品の全体数量のうち廃棄処理のためのトートに移された物品の数量情報１３０８、各トート内物品の全体数量のうち再陳列処理のためのトートに移された物品の数量情報１３１２、および電算上で未処理在庫によって問題ゾーンに割り当てられた物品の数量情報１３１０を含むことができる。物品の数量情報１３０８、１３１０、１３１２は、物品の処理情報に基づいてアップデートされ得る。
【０１２５】
在庫に関する情報１３００は、処分類型によって物品が処理された時間情報１３１４を含むことができる。
【０１２６】
図１４は、電子装置のブロック図を示す。
【０１２７】
電子装置１４００は、一実施形態によって、メモリ（ｍｅｍｏｒｙ）１４１０およびプロセッサー（ｐｒｏｃｅｓｓｏｒ）１４２０を含むことができる。図１４に示された電子装置１４００は、本実施形態と関連した構成要素のみが示されている。したがって、図１４に示された構成要素以外に他の汎用的な構成要素がさらに含まれ得ることを本実施形態と関連した技術分野における通常の知識を有する者なら理解することができる。電子装置１４００は、電子装置１００、５００に関する内容を含むことができるところ、重複する内容については説明を省略する。
【０１２８】
メモリ１４１０は、電子装置１４００内で処理される各種データを保存するハードウェアであって、例えば、メモリ１４１０は、電子装置１４００で処理されたデータおよび処理されるデータを保存することができる。メモリ１４１０は、プロセッサー１４２０の動作のための少なくとも1つの命令語（ｉｎｓｔｒｕｃｔｉｏｎ）を保存することができる。また、メモリ１４１０は、電子装置１４００により駆動されるプログラムまたはアプリケーション等を保存することができる。メモリ１４１０は、ＤＲＡＭ（ｄｙｎａｍｉｃ  ｒａｎｄｏｍ  ａｃｃｅｓｓ  ｍｅｍｏｒｙ）、ＳＲＡＭ（ｓｔａｔｉｃ  ｒａｎｄｏｍ  ａｃｃｅｓｓ  ｍｅｍｏｒｙ）等のようなＲＡＭ（ｒａｎｄｏｍ  ａｃｃｅｓｓ  ｍｅｍｏｒｙ）、ＲＯＭ（ｒｅａｄ−ｏｎｌｙ  ｍｅｍｏｒｙ）、ＥＥＰＲＯＭ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ）、ＣＤ−ＲＯＭ、ブルーレイまたは他の光学ディスクストレージ、ＨＤＤ（ｈａｒｄ  ｄｉｓｋ  ｄｒｉｖｅ）、ＳＳＤ（ｓｏｌｉｄ  ｓｔａｔｅ  ｄｒｉｖｅ）、またはフラッシュメモリを含むことができる。
【０１２９】
プロセッサー１４２０は、電子装置１４００の全般的な動作を制御し、データおよび信号を処理することができる。プロセッサー１４２０は、メモリ１４１０に保存された少なくとも１つの命令語または少なくとも1つのプログラムを実行することによって、電子装置１４００を全般的に制御することができる。プロセッサー１４２０は、ＣＰＵ（ｃｅｎｔｒａｌ  ｐｒｏｃｅｓｓｉｎｇ  ｕｎｉｔ）、ＧＰＵ（ｇｒａｐｈｉｃｓ  ｐｒｏｃｅｓｓｉｎｇ  ｕｎｉｔ）、ＡＰ（ａｐｐｌｉｃａｔｉｏｎ  ｐｒｏｃｅｓｓｏｒ）等で具現され得るが、これに制限されない。
【０１３０】
プロセッサー１４２０は、処分対象に分類される物品の属性情報を認識することができる。プロセッサー１４２０は、物品の識別情報に基づいて物品の属性情報を認識することができる。一実施形態によって、プロセッサー１４２０は、電子装置１４００の通信デバイスを介して外部端末から物品の識別情報を受信することができ、このような識別情報に基づいて物品の属性情報を認識することができる。
【０１３１】
プロセッサー１４２０は、物品の属性情報に基づいて物品の処分類型を認識することができる。
【０１３２】
プロセッサー１４２０は、物品の鮮度関連情報に基づいて、物品をリキデーション処理対象と認識することができる。プロセッサー１４２０は、物品の管理類型情報および物品の消費期限関連情報に基づいて物品を廃棄処理対象と認識することができる。プロセッサー１４２０は、物品の損傷関連情報に基づいて物品を再梱包処理対象と認識することができる。プロセッサー１４２０は、物品の属性情報に基づいて物品を自家消費処理対象と認識することができる。プロセッサー１４２０は、物品の属性情報に基づいて物品を再陳列処理対象と認識することができる。プロセッサー１４２０は、ユーザ入力を基礎として物品の処分類型を認識することができる。
【０１３３】
プロセッサー１４２０は、物品の処分類型によって物品が処理される時に随伴する物品の処理情報を獲得することができる。
【０１３４】
一実施形態によって、プロセッサー１４２０は、電子装置１４００の通信デバイスを介して物品の処分類型に関する情報を端末に伝送することができ、端末から物品の処理情報を獲得することができる。他の実施形態によって、プロセッサー１４２０は、電子装置１４００の入力デバイスを介して物品の処理情報を獲得することができる。
【０１３５】
プロセッサー１４２０は、物品の処分類型を廃棄処理と認識した場合、第１貯蔵ユニットに貯蔵された物品の全体数量のうち廃棄処理のための第２貯蔵ユニットに移される物品の数量に関する情報、および第２貯蔵ユニットの識別情報を獲得できる。
【０１３６】
プロセッサー１４２０は、物品の処分類型を再陳列処理と認識した場合、第１貯蔵ユニットに貯蔵された物品の全体数量のうち再陳列処理のための第２貯蔵ユニットに移される物品の数量に関する情報、および第２貯蔵ユニットの識別情報を獲得することができる。また、プロセッサー１４２０は、第１貯蔵ユニットから第２貯蔵ユニットに移される物品の数量に対する消費期限関連情報をさらに獲得することができる。
【０１３７】
プロセッサー１４２０は、物品の処分類型を再梱包処理と認識した場合、第１貯蔵ユニットに貯蔵された物品の全体数量のうち再梱包処理のための第２貯蔵ユニットに移される物品の数量に関する情報、および第２貯蔵ユニットの識別情報を獲得することができる。
【０１３８】
プロセッサー１４２０は、物品の処分類型を自家消費処理と認識した場合、第１貯蔵ユニットに貯蔵された物品の全体数量のうち自家消費処理のための第２貯蔵ユニットに移される物品の数量に関する情報、および第２貯蔵ユニットの識別情報を獲得することができる。
【０１３９】
プロセッサー１４２０は、物品の処分類型をリキデーション処理と認識した場合、第１貯蔵ユニットに貯蔵された物品の全体数量のうちリキデーション処理のための第２貯蔵ユニットに移される物品の数量に関する情報、および第２貯蔵ユニットの識別情報を獲得することができる。
【０１４０】
プロセッサー１４２０は、物品の処理情報に基づいて在庫に関する情報をアップデートすることができる。
【０１４１】
プロセッサー１４２０は、物品の処理情報を提供することができる。例えば、プロセッサー１４２０は、ディスプレイを介して物品の処理情報を表示することができる。
【０１４２】
図１５は、端末が動作する方法の一実施形態を示す。
【０１４３】
段階Ｓ１５１０において、端末２００は、処分対象に分類される物品の識別情報を獲得することができる。例えば、端末２００は、イメージセンサーを含むことができるところ、端末２００のイメージセンサーを介して物品の識別情報を獲得することができる。また、端末２００は、制御部を含むことができるところ、端末２００の制御部は、イメージセンサーを制御して物品の識別情報を獲得することができる。
【０１４４】
段階Ｓ１５２０において、端末２００は、物品の識別情報に対応する物品の処分類型に関する情報を認識することができる。端末２００は、通信デバイスを含むことができるところ、通信デバイスを介して物品の識別情報を外部電子装置に伝送することができ、外部電子装置から物品の識別情報に対応する物品の処分類型に関する情報を獲得することができる。また、端末２００は、制御部を含むことができるところ、端末２００の制御部は、通信デバイスを制御して物品の処分類型に関する情報を獲得することができる。
【０１４５】
段階Ｓ１５３０において、端末２００は、処分類型によって物品が処理される時に随伴する物品の処理情報を獲得することができる。端末２００は、入力デバイスを含むことができるところ、入力デバイスを介して物品の処理情報を獲得することができる。また、端末２００は、制御部を含むことができるところ、端末２００の制御部は、入力デバイスを制御して物品の処理情報を獲得することができる。
【０１４６】
段階Ｓ１５４０において、端末２００は、物品の処理情報を提供することができる。一実施形態によって、端末２００は、ディスプレイを含むことができるところ、ディスプレイを介して物品の処理情報を表示することができる。他の実施形態によって、端末２００は、通信デバイスを含むことができるところ、通信デバイスを介して物品の処理情報を外部電子装置に伝送することができる。また、端末２００は、制御部を含むことができるところ、端末２００の制御部は、ディスプレイまたは通信デバイスを制御して物品の処理情報を提供することができる。
【０１４７】
前述した実施形態に係る電子装置または端末は、プロセッサー、プログラムデータを保存し実行するメモリ、ディスクドライブのような永久保存部（ｐｅｒｍａｎｅｎｔ  ｓｔｏｒａｇｅ）、外部装置と通信する通信ポート、タッチパネル、キー（ｋｅｙ）、ボタン等のようなユーザインタフェース装置等を含むことができる。ソフトウェアモジュールまたはアルゴリズムで具現される方法は、前記プロセッサー上で実行可能なコンピュータで読み取り可能なコードまたはプログラム命令にてコンピュータで読み取り可能な記録媒体上に保存され得る。ここで、コンピュータで読み取り可能な記録媒体として、磁気記憶媒体（例えば、ＲＯＭ（ｒｅａｄ−ｏｎｌｙ  ｍｅｍｏｒｙ）、ＲＡＭ（ｒａｎｄｏｍ−Ａｃｃｅｓｓ  ｍｅｍｏｒｙ）、フロッピーディスク、ハードディスク等）および光学的読み取り媒体（例えば、シーディーロム（ＣＤ−ＲＯＭ）、ディーブイディー（ＤＶＤ：Ｄｉｇｉｔａｌ  Ｖｅｒｓａｔｉｌｅ  Ｄｉｓｃ））等がある。コンピュータで読み取り可能な記録媒体は、ネットワークで連結されたコンピュータシステムに分散して、分散方式でコンピュータで読み取り可能なコードが保存され実行され得る。媒体は、コンピュータにより読み取り可能であり、メモリに保存され、プロセッサーで実行され得る。
【０１４８】
本実施形態は、機能的なブロック構成および多様な処理段階で示される。このような機能ブロックは、特定の機能を実行する多様な個数のハードウェアまたは／およびソフトウェア構成で具現され得る。例えば、実施形態は、１つ以上のマイクロプロセッサーの制御または他の制御装置により多様な機能を実行できる、メモリ、プロセッシング、ロジック（ｌｏｇｉｃ）、ルックアップテーブル（ｌｏｏｋ−ｕｐ  ｔａｂｌｅ）等のような直接回路構成を採用することができる。構成要素がソフトウェアプログラミングまたはソフトウェア要素で実行され得ることと同様に、本実施形態は、データ構造、プロセス、ルーチンまたは他のプログラミング構成の組合せで具現される多様なアルゴリズムを含み、Ｃ、Ｃ＋＋、ジャバ（Ｊａｖａ）、アセンブラ（ａｓｓｅｍｂｌｅｒ）等のようなプログラミングまたはスクリプティング言語で具現され得る。機能的な側面は、１つ以上のプロセッサーで実行されるアルゴリズムで具現され得る。また、本実施形態は、電子的な環境設定、信号処理、および／またはデータ処理等のために従来技術を採用することができる。「メカニズム」、「要素」、「手段」、「構成」のような用語は、広く使用され得、機械的かつ物理的な構成に限定されるものではない。前記用語は、プロセッサー等と連係してソフトウェアの一連の処理（ｒｏｕｔｉｎｅｓ）の意味を含むことができる。
【０１４９】
前述した実施形態は、１つの例示に過ぎず、後述する請求項の範囲内で他の実施形態が具現され得る。
【図１】
0006977116.tif 000002
【図２】
0006977116.tif 000003
【図３】
0006977116.tif 000004
【図４】
0006977116.tif 000005
【図５】
0006977116.tif 000006
【図６】
0006977116.tif 000007
【図７】
0006977116.tif 000008
【図８】
0006977116.tif 000009
【図９】
0006977116.tif 000010
【図１０】
0006977116.tif 000011
【図１１】
0006977116.tif 000012
【図１２】
0006977116.tif 000013
【図１３】
0006977116.tif 000014
【図１４】
0006977116.tif 000015
【図１５】
0006977116.tif 000016